(57)【特許請求の範囲】
【請求項１】
建物における複数の階床のそれぞれを示す図形を生成する階床図形生成部と、
前記建物内の昇降機がそれぞれの階床に停止する時間帯と、前記昇降機がそれぞれの階床に停止しない時間帯とを示す運行計画情報に従って、前記昇降機が階床に停止する時間帯を示すシンボル及び前記昇降機が階床に停止しない時間帯を示すシンボルのそれぞれを、前記階床図形生成部により生成されたそれぞれの階床を示す図形に付加することで、前記昇降機が階床に停止する時間帯と前記昇降機が階床に停止しない時間帯とを示す運行計画アイコンを前記建物の階床毎に生成する運行計画アイコン生成部と、
前記運行計画アイコン生成部により階床毎に生成されたそれぞれの運行計画アイコンを画面に表示させる運行計画アイコン表示部と
を備えた運行スケジュール表示装置。
【請求項２】
複数の昇降機が前記建物内に設置されており、
前記運行計画アイコン生成部は、階床毎の運行計画アイコンをそれぞれの昇降機について生成し、
前記運行計画アイコン表示部は、前記運行計画アイコン生成部により階床毎に生成されたそれぞれの昇降機についての運行計画アイコンを前記画面に表示させることを特徴とする請求項１記載の運行スケジュール表示装置。
【請求項３】
前記運行計画情報に基づいて、それぞれの階床に前記昇降機が停止する時間帯に現在の時刻又は指定時刻が含まれているか否かを判定する第１の判定部と、
前記建物における複数の階床のうち、前記第１の判定部により、前記昇降機が停止する時間帯に現在の時刻又は指定時刻が含まれていると判定された階床に前記昇降機が停止する旨を示す運行状況アイコンを前記画面に表示させ、前記建物における複数の階床のうち、前記第１の判定部により、前記昇降機が停止しない時間帯に現在の時刻又は指定時刻が含まれていると判定された階床に前記昇降機が停止しない旨を示す運行状況アイコンを前記画面に表示させる運行状況アイコン表示部とを備えていることを特徴とする請求項１記載の運行スケジュール表示装置。
【請求項４】
複数の昇降機が前記建物内に設置されており、
前記第１の判定部は、前記運行計画情報に基づいて、それぞれの階床に、それぞれの昇降機が停止する時間帯に現在の時刻又は指定時刻が含まれているか否かを判定し、
前記運行状況アイコン表示部は、それぞれの昇降機について、前記建物における複数の階床のうち、前記第１の判定部により、当該昇降機が停止する時間帯に現在の時刻又は指定時刻が含まれていると判定された階床に当該昇降機が停止する旨を示す運行状況アイコンを前記画面に表示させ、前記建物における複数の階床のうち、前記第１の判定部により、当該昇降機が停止しない時間帯に現在の時刻又は指定時刻が含まれていると判定された階床に当該昇降機が停止しない旨を示す運行状況アイコンを前記画面に表示させることを特徴とする請求項３記載の運行スケジュール表示装置。
【請求項５】
前記運行計画情報に基づいて、前記昇降機が休止する時間帯があるか否かを判定する第２の判定部と、
前記第２の判定部により昇降機が休止する時間帯があると判定されていれば、前記昇降機が休止する時間帯を示す運行休止シンボルを前記画面に表示させる運行休止シンボル表示部とを備えたことを特徴とする請求項１記載の運行スケジュール表示装置。
【請求項６】
前記運行状況アイコン表示部は、前記運行状況アイコンの表示位置が、前記運行計画アイコンの時間軸における現在の時刻又は指定時刻の表示位置と一致するように、時刻の経過に伴って、前記運行状況アイコンの表示位置を移動させることを特徴とする請求項３記載の運行スケジュール表示装置。
【請求項７】
前記運行計画アイコン表示部は、前記運行計画アイコンの時間軸における現在の時刻又は指定時刻の表示位置が、前記運行状況アイコンの表示位置と一致するように、時刻の経過に伴って、前記運行計画アイコンの時間軸を移動させることを特徴とする請求項３記載の運行スケジュール表示装置。
【請求項８】
前記運行計画情報に基づいて、それぞれの階床に、現在停止することが可能な昇降機の台数を特定し、特定した台数を前記画面に表示させる台数表示部を備えたことを特徴とする請求項２記載の運行スケジュール表示装置。
【請求項９】
階床図形生成部が、建物における複数の階床のそれぞれを示す図形を生成し、
運行計画アイコン生成部が、前記建物内の昇降機がそれぞれの階床に停止する時間帯と、前記昇降機がそれぞれの階床に停止しない時間帯とを示す運行計画情報に従って、前記昇降機が階床に停止する時間帯を示すシンボル及び前記昇降機が階床に停止しない時間帯を示すシンボルのそれぞれを、前記階床図形生成部により生成されたそれぞれの階床を示す図形に付加することで、前記昇降機が階床に停止する時間帯と前記昇降機が階床に停止しない時間帯とを示す運行計画アイコンを前記建物の階床毎に生成し、
運行計画アイコン表示部が、前記運行計画アイコン生成部により階床毎に生成されたそれぞれの運行計画アイコンを画面に表示させる
運行スケジュール表示方法。
【発明の詳細な説明】
【技術分野】
【０００１】
この発明は、昇降機が階床に停止する時間帯と昇降機が階床に停止しない時間帯とを示す運行計画アイコンを画面に表示させる運行スケジュール表示装置及び運行スケジュール表示方法に関するものである。
【背景技術】
【０００２】
以下の特許文献１には、複数のエレベータの状態表示システムが開示されている。
特許文献１に開示されている状態表示システムは、エレベータのかごの位置等を表示している。
【先行技術文献】
【特許文献】
【０００３】
【特許文献１】特開２００３−２４６５５９号公報
【発明の概要】
【発明が解決しようとする課題】
【０００４】
特許文献１に開示されている状態表示システムは、エレベータのかごの位置等を表示するだけで、建物の階床毎に、かごが停止する時間帯とかごが停止しない時間帯とを示すかごの運行スケジュールを表示するものではない。
したがって、建物の管理者等が、特許文献１に開示されている状態表示システムの画面を見ても、かごの運行スケジュールを確認することができないという課題があった。【０００５】
この発明は上記のような課題を解決するためになされたもので、建物の管理者等が、昇降機の運行スケジュールを確認することができる運行スケジュール表示装置及び運行スケジュール表示方法を得ることを目的とする。
【課題を解決するための手段】
【０００６】
この発明に係る運行スケジュール表示装置は、建物における複数の階床のそれぞれを示す図形を生成する階床図形生成部と、建物内の昇降機がそれぞれの階床に停止する時間帯と、昇降機がそれぞれの階床に停止しない時間帯とを示す運行計画情報に従って、昇降機が階床に停止する時間帯を示すシンボル及び昇降機が階床に停止しない時間帯を示すシンボルのそれぞれを、階床図形生成部により生成されたそれぞれの階床を示す図形に付加することで、昇降機が階床に停止する時間帯と昇降機が階床に停止しない時間帯とを示す運行計画アイコンを建物の階床毎に生成する運行計画アイコン生成部と、運行計画アイコン生成部により階床毎に生成されたそれぞれの運行計画アイコンを画面に表示させる運行計画アイコン表示部とを備えるようにしたものである。
【発明の効果】
【０００７】
この発明によれば、建物内の昇降機がそれぞれの階床に停止する時間帯と、昇降機がそれぞれの階床に停止しない時間帯とを示す運行計画情報に従って、昇降機が階床に停止する時間帯を示すシンボル及び昇降機が階床に停止しない時間帯を示すシンボルのそれぞれを、階床図形生成部により生成されたそれぞれの階床を示す図形に付加することで、昇降機が階床に停止する時間帯と昇降機が階床に停止しない時間帯とを示す運行計画アイコンを建物の階床毎に生成する運行計画アイコン生成部を設け、運行計画アイコン表示部が、運行計画アイコン生成部により階床毎に生成されたそれぞれの運行計画アイコンを画面に表示させるように、運行スケジュール表示装置を構成した。したがって、この発明に係る運行スケジュール表示装置は、建物の管理者等が、昇降機の運行スケジュールを確認することができる。
【図面の簡単な説明】
【０００８】
【図１】実施の形態１に係る運行スケジュール表示装置を示す構成図である。
【図２】実施の形態１に係る運行スケジュール表示装置のハードウェアを示すハードウェア構成図である。
【図３】運行スケジュール表示装置の一部が、ソフトウェア又はファームウェア等によって実現される場合のコンピュータのハードウェア構成図である。
【図４】運行スケジュール表示装置の処理手順である運行スケジュール表示方法を示すフローチャートである。
【図５】図１に示す運行スケジュール表示装置の表示例を示す説明図である。
【図６】図６Ａは、運行計画情報が２４個の停止情報を有する場合の、停止可能階を示す図形の分割例を示す説明図である。図６Ｂは、運行計画情報が６０個の停止情報を有する場合の、停止可能階を示す図形の分割例を示す説明図である。
【図７】図７Ａは、運行計画情報が２４個の停止情報を有する場合の運行計画アイコンを示す説明図である。図７Ｂは、運行計画情報が６０個の停止情報を有する場合の運行計画アイコンを示す説明図である。
【図８】停止可能階を示す図形を不等分割する例を示す説明図である。
【図９】運行休止シンボルの専用表示領域に表示されている運行休止シンボルを示す説明図である。
【図１０】運行状況アイコン表示部１７によって、運行状況アイコンの表示位置が移動されている例を示す説明図である。
【図１１】運行計画アイコン表示部１５によって、運行計画アイコンの時間軸が移動されている例を示す説明図である。
【図１２】実施の形態４に係る運行スケジュール表示装置を示す構成図である。
【図１３】実施の形態４に係る運行スケジュール表示装置のハードウェアを示すハードウェア構成図である。
【図１４】図１２に示す運行スケジュール表示装置の表示例を示す説明図である。
【図１５】運行スケジュール表示装置の処理手順である他の運行スケジュール表示方法を示すフローチャートである。
【発明を実施するための形態】
【０００９】
以下、この発明をより詳細に説明するために、この発明を実施するための形態について、添付の図面に従って説明する。
【００１０】
実施の形態１．
図１は、実施の形態１に係る運行スケジュール表示装置を示す構成図である。
図２は、実施の形態１に係る運行スケジュール表示装置のハードウェアを示すハードウェア構成図である。
図１に示す運行スケジュール表示装置では、建物内に昇降機１−１〜１−Ｎが設置されているものとする。
昇降機１−ｎ（ｎ＝１，・・・，Ｎ）は、例えば、エレベータのかごが該当する。Ｎは、１以上の整数であり、後述の図５では、Ｎ＝３の例を示している。
以下、昇降機１−１〜１−Ｎを区別しない場合、昇降機１のように表記することがある。
【００１１】
図１において、昇降機情報記憶部１１は、例えば、図２に示す昇降機情報記憶回路３１によって実現される。
昇降機情報記憶部１１は、昇降機１−１〜１−Ｎにおけるそれぞれの停止可能階を示す昇降機情報を記憶している。
昇降機１−ｎの停止可能階は、建物における複数の階床のうち、通過階以外の階床であって、昇降機１−ｎが停止することが可能な階床である。
停止可能階は、昇降機１−ｎが停止することが可能な階床であるが、昇降機１−ｎのメンテナンス又は昇降機１−ｎの運転効率の向上等のために、昇降機１−ｎが停止しないことがある。
通過階は、昇降機１−ｎが常に通過する階床である。
【００１２】
また、昇降機情報記憶部１１は、昇降機１−１〜１−Ｎにおけるそれぞれの停止可能階についての画面上の表示位置を示す位置情報を記憶している。
それぞれの停止可能階についての画面上の表示位置は、運行計画アイコン生成部１４により生成された運行計画アイコンを、運行計画アイコン表示部１５において、例えば立面図として表示するための表示データを生成する場合の表示位置である。
立面図として表示する場合の表示位置を示す位置情報としては、例えば、停止可能階を示す図形が矩形であれば、停止可能階の図形における４つの頂点のうち、左上の頂点の（ｘ，ｙ）座標等が考えられる。
図１に示す運行スケジュール表示装置では、昇降機情報及び位置情報のそれぞれが昇降機情報記憶部１１に記憶されている。しかし、これは一例に過ぎず、昇降機情報は、図１に示す運行スケジュール表示装置の外部から、階床図形生成部１２に与えられるものであってもよい。また、位置情報は、図１に示す運行スケジュール表示装置の外部から、運行計画アイコン表示部１５、運行状況アイコン表示部１７及び運行休止シンボル表示部１９のそれぞれに与えられるものであってもよい。
【００１３】
階床図形生成部１２は、例えば、図２に示す階床図形生成回路３２によって実現される。
階床図形生成部１２は、昇降機情報記憶部１１により記憶されている昇降機情報を参照して、昇降機１−１〜１−Ｎにおけるそれぞれの停止可能階を認識する。
階床図形生成部１２は、昇降機１−１〜１−Ｎにおけるそれぞれの停止可能階を示す図形を生成する。
階床図形生成部１２は、生成したそれぞれの停止可能階を示す図形のデータを運行計画アイコン生成部１４に出力する。
【００１４】
運行計画情報記憶部１３は、例えば、図２に示す運行計画情報記憶回路３３によって実現される。
運行計画情報記憶部１３は、昇降機１−１〜１−Ｎのそれぞれが、それぞれの停止可能階に停止する時間帯と、それぞれの停止可能階に停止しない時間帯とを示す運行計画情報を記憶している。
運行計画情報は、昇降機１−１〜１−Ｎのそれぞれが、休止する時間帯を示す情報を含んでいる。
図１に示す運行スケジュール表示装置では、運行計画情報が運行計画情報記憶部１３に記憶されている。しかし、これは一例に過ぎず、運行計画情報は、図１に示す運行スケジュール表示装置の外部から、運行計画アイコン生成部１４、第１の判定部１６及び第２の判定部１８のそれぞれに与えられるものであってもよい。
【００１５】
運行計画アイコン生成部１４は、例えば、図２に示す計画アイコン生成回路３４によって実現される。
運行計画アイコン生成部１４は、運行計画情報記憶部１３により記憶されている運行計画情報を取得する。
運行計画アイコン生成部１４は、階床図形生成部１２により生成されたそれぞれの停止可能階を示す図形のデータを取得する。
運行計画アイコン生成部１４の内部メモリは、昇降機１が停止可能階に停止する時間帯を示すシンボルとして、第１のシンボルを記憶している。また、運行計画アイコン生成部１４の内部メモリは、昇降機１が停止可能階に停止しない時間帯を示すシンボルとして、第２のシンボルを記憶している。
【００１６】
ここでは、第１のシンボル及び第２のシンボルのそれぞれが、運行計画アイコン生成部１４の内部メモリに記憶されている。しかし、これは一例に過ぎず、第１のシンボル及び第２のシンボルのそれぞれが、図１に示す運行スケジュール表示装置の外部から、運行計画アイコン生成部１４に与えられるものであってもよい。
運行計画アイコン生成部１４は、取得した運行計画情報に従って、第１のシンボル及び第２のシンボルのそれぞれを、それぞれの停止可能階を示す図形に付加することで、運行計画アイコンを停止可能階毎に生成する。
運行計画アイコンは、昇降機１が階床に停止する時間帯と昇降機１が階床に停止しない時間帯とを示すアイコンである。
運行計画アイコン生成部１４は、昇降機１−１〜１−Ｎのそれぞれについて、停止可能階毎に生成した運行計画アイコンを運行計画アイコン表示部１５に出力する。
【００１７】
運行計画アイコン表示部１５は、例えば、図２に示す計画アイコン表示回路３５によって実現される。
運行計画アイコン表示部１５は、昇降機情報記憶部１１により記憶されている位置情報を取得する。
運行計画アイコン表示部１５は、取得した位置情報に基づいて、運行計画アイコン生成部１４により停止可能階毎に生成された昇降機１−１〜１−Ｎについての運行計画アイコンを、例えば立面図のように表示するための表示データを生成する。
運行計画アイコン表示部１５は、生成した表示データを表示器２０に出力する。
【００１８】
第１の判定部１６は、例えば、図２に示す第１の判定回路３６によって実現される。
第１の判定部１６は、運行計画情報記憶部１３により記憶されている運行計画情報を取得する。
第１の判定部１６は、取得した運行計画情報に基づいて、昇降機１−１〜１−Ｎのそれぞれが、それぞれの停止可能階に停止する時間帯に現在の時刻が含まれているか否かを判定する。
第１の判定部１６は、昇降機１−１〜１−Ｎのそれぞれが、それぞれの停止可能階に停止する時間帯に現在の時刻が含まれているか否か示す判定結果を運行状況アイコン表示部１７に出力する。
図１に示す運行スケジュール表示装置では、第１の判定部１６が、それぞれの停止可能階に停止する時間帯に現在の時刻が含まれているか否かを判定している。しかし、これは一例に過ぎず、第１の判定部１６が、それぞれの停止可能階に停止する時間帯に指定時刻が含まれているか否かを判定するようにしてもよい。
指定時刻は、建物の管理者等によって指定された時刻であり、指定時刻は、第１の判定部１６の内部メモリに格納されていてもよいし、外部から第１の判定部１６に与えられるものであってもよい。
【００１９】
運行状況アイコン表示部１７は、例えば、図２に示す状況アイコン表示回路３７によって実現される。
運行状況アイコン表示部１７は、昇降機情報記憶部１１により記憶されている位置情報を取得する。
運行状況アイコン表示部１７は、複数の停止可能階のうち、第１の判定部１６により、昇降機１−ｎが停止する時間帯に現在の時刻が含まれていると判定された停止可能階に昇降機１−ｎが停止する旨を示す運行状況アイコンを画面に表示させるための表示データを表示器２０に出力する。
運行状況アイコン表示部１７は、複数の停止可能階のうち、第１の判定部１６により、昇降機１−ｎが停止しない時間帯に現在の時刻が含まれていると判定された停止可能階に昇降機１−ｎが停止しない旨を示す運行状況アイコンを画面に表示させるための表示データを表示器２０に出力する。
運行状況アイコン表示部１７は、第１の判定部１６により、昇降機１−ｎが停止する時間帯に指定時刻が含まれているか否かが判定されている場合、以下のような表示データを表示器２０に出力する。
運行状況アイコン表示部１７は、複数の停止可能階のうち、第１の判定部１６により、昇降機１−ｎが停止する時間帯に指定時刻が含まれていると判定された停止可能階に昇降機１−ｎが停止する旨を示す運行状況アイコンを画面に表示させるための表示データを表示器２０に出力する。
運行状況アイコン表示部１７は、複数の停止可能階のうち、第１の判定部１６により、昇降機１−ｎが停止しない時間帯に指定時刻が含まれていると判定された停止可能階に昇降機１−ｎが停止しない旨を示す運行状況アイコンを画面に表示させるための表示データを表示器２０に出力する。
なお、運行状況アイコン表示部１７は、取得した位置情報に基づいて、運行状況アイコンの画面上の表示位置を決定して、運行状況アイコンを画面に表示させるための表示データを生成する。
【００２０】
第２の判定部１８は、例えば、図２に示す第２の判定回路３８によって実現される。
第２の判定部１８は、運行計画情報記憶部１３により記憶されている運行計画情報を取得する。
第２の判定部１８は、取得した運行計画情報に基づいて、昇降機１−１〜１−Ｎのそれぞれが、休止する時間帯があるか否かを判定する。
第２の判定部１８は、休止する時間帯があるか否かを示す判定結果を運行休止シンボル表示部１９に出力する。
【００２１】
運行休止シンボル表示部１９は、例えば、図２に示す休止アイコン表示回路３９によって実現される。
運行休止シンボル表示部１９は、昇降機情報記憶部１１により記憶されている位置情報を取得する。
運行休止シンボル表示部１９は、第２の判定部１８により昇降機１−ｎが休止する時間帯があると判定されていれば、昇降機１−ｎが休止する時間帯を示す運行休止シンボルを画面に表示させるための表示データを表示器２０に出力する。
なお、運行休止シンボル表示部１９は、取得した位置情報に基づいて、運行休止シンボルの画面上の表示位置を決定して、運行休止シンボルを画面に表示させるための表示データを生成している。
【００２２】
表示器２０は、例えば、液晶ディスプレイ４０によって実現される。
表示器２０は、運行計画アイコン表示部１５から出力された表示データに従って、運行計画アイコンを画面に表示する。
表示器２０は、運行状況アイコン表示部１７から出力された表示データに従って、運行状況アイコンを画面に表示する。
表示器２０は、運行休止シンボル表示部１９から出力された表示データに従って、運行休止シンボルを画面に表示する。
【００２３】
図１では、運行スケジュール表示装置の構成要素である昇降機情報記憶部１１、階床図形生成部１２、運行計画情報記憶部１３、運行計画アイコン生成部１４、運行計画アイコン表示部１５、第１の判定部１６、運行状況アイコン表示部１７、第２の判定部１８、運行休止シンボル表示部１９及び表示器２０のそれぞれが、図２に示すような専用のハードウェアによって実現されるものを想定している。即ち、運行スケジュール表示装置が、昇降機情報記憶回路３１、階床図形生成回路３２、運行計画情報記憶回路３３、計画アイコン生成回路３４、計画アイコン表示回路３５、第１の判定回路３６、状況アイコン表示回路３７、第２の判定回路３８、休止アイコン表示回路３９及び液晶ディスプレイ４０によって実現されるものを想定している。
【００２４】
ここで、昇降機情報記憶回路３１及び運行計画情報記憶回路３３のそれぞれは、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒy）等の不揮発性又は揮発性の半導体メモリ、磁気ディスク、フレキシブルディスク、光ディスク、コンパクトディスク、ミニディスク、あるいは、ＤＶＤ（Ｄｉｇｉｔａｌ  Ｖｅｒｓａｔｉｌｅ  Ｄｉｓｃ）が該当する。
また、階床図形生成回路３２、計画アイコン生成回路３４、計画アイコン表示回路３５、第１の判定回路３６、状況アイコン表示回路３７、第２の判定回路３８及び休止アイコン表示回路３９のそれぞれは、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、又は、これらを組み合わせたものが該当する。
【００２５】
運行スケジュール表示装置の構成要素は、専用のハードウェアによって実現されるものに限るものではない。例えば、表示器２０を除く、運行スケジュール表示装置が、ソフトウェア、ファームウェア、又は、ソフトウェアとファームウェアとの組み合わせによって実現されるものであってもよい。
ソフトウェア又はファームウェアは、プログラムとして、コンピュータのメモリに格納される。コンピュータは、プログラムを実行するハードウェアを意味し、例えば、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、プロセッサ、あるいは、ＤＳＰ（Ｄｉｇｉｔａｌ  Ｓｉｇｎａｌ  Ｐｒｏｃｅｓｓｏｒ）が該当する。
図３は、運行スケジュール表示装置の一部が、ソフトウェア又はファームウェア等によって実現される場合のコンピュータのハードウェア構成図である。
【００２６】
表示器２０を除く、運行スケジュール表示装置が、ソフトウェア又はファームウェア等によって実現される場合、昇降機情報記憶部１１及び運行計画情報記憶部１３が、コンピュータのメモリ４１上に構成される。階床図形生成部１２、運行計画アイコン生成部１４、運行計画アイコン表示部１５、第１の判定部１６、運行状況アイコン表示部１７、第２の判定部１８及び運行休止シンボル表示部１９の処理手順をコンピュータに実行させるためのプログラムがメモリ４１に格納される。そして、コンピュータのプロセッサ４２がメモリ４１に格納されているプログラムを実行する。
図４は、運行スケジュール表示装置の処理手順である運行スケジュール表示方法を示すフローチャートである。
【００２７】
また、図２では、運行スケジュール表示装置の構成要素のそれぞれが専用のハードウェアによって実現される例を示し、図３では、運行スケジュール表示装置がソフトウェア又はファームウェア等によって実現される例を示している。しかし、これは一例に過ぎず、運行スケジュール表示装置における一部の構成要素が専用のハードウェアによって実現され、残りの構成要素がソフトウェア又はファームウェア等によって実現されるものであってもよい。
【００２８】
次に、図１に示す運行スケジュール表示装置の動作について説明する。
図５は、図１に示す運行スケジュール表示装置の表示例を示す説明図である。
図５では、建物における複数の階床が、１階から１５階である例を示している。
昇降機１−１の通過階は、６階から１０階であり、昇降機１−１の停止可能階は、１階から５階、及び１１階から１５階である。ＳＰＦ１−１−Ｆは、昇降機１−１についての停止可能階がＦ階であることを示している。Ｆ＝１，２，３，４，５，１１，１２，１３，１４，１５である。
昇降機１−２の通過階は、６階から１０階であり、昇降機１−２の停止可能階は、１階から５階、及び１１階から１５階である。ＳＰＦ１−２−Ｇは、昇降機１−２についての停止可能階がＧ階であることを示している。Ｇ＝１，２，３，４，５，１１，１２，１３，１４，１５である。
昇降機１−３の通過階は、６階及び７階であり、昇降機１−３の停止可能階は、１階から５階、及び８階である。ＳＰＦ１−３−Ｈは、昇降機１−３についての停止可能階がＨ階であることを示している。Ｈ＝１，２，３，４，５，８である。
図５において、Ｒ１−１は、昇降機１−１における通過階での昇降路を示し、Ｒ１−２は、昇降機１−２における通過階での昇降路を示し、Ｒ１−３は、昇降機１−３における通過階での昇降路を示している。
【００２９】
以下、説明の便宜上、Ｎ＝３である例を説明する。
まず、階床図形生成部１２は、昇降機情報記憶部１１により記憶されている昇降機情報を取得する。
階床図形生成部１２は、取得した昇降機情報を参照して、昇降機１−１の停止可能階ＳＰＦ１−１−Ｆ（Ｆ＝１，２，３，４，５，１１，１２，１３，１４，１５）を認識し、停止可能階ＳＰＦ１−１−Ｆを示す図形を生成する（図４のステップＳＴ１）。
また、階床図形生成部１２は、取得した昇降機情報を参照して、昇降機１−２の停止可能階ＳＰＦ１−２−Ｇ（Ｇ＝１，２，３，４，５，１１，１２，１３，１４，１５）を認識し、停止可能階ＳＰＦ１−２−Ｇを示す図形を生成する（図４のステップＳＴ１）。
また、階床図形生成部１２は、取得した昇降機情報を参照して、昇降機１−３の停止可能階ＳＰＦ１−３−Ｈ（Ｈ＝１，２，３，４，５，８）を認識し、停止可能階ＳＰＦ１−３−Ｈを示す図形を生成する（図４のステップＳＴ１）。
【００３０】
図１に示す運行スケジュール表示装置では、階床図形生成部１２が、停止可能階ＳＰＦ１−１−Ｆ、停止可能階ＳＰＦ１−２−Ｇ及び停止可能階ＳＰＦ１−３−Ｈにおけるそれぞれの図形として、幅がＷで、高さがｈである矩形を生成するものとする。しかし、これは一例に過ぎず、階床図形生成部１２が、停止可能階ＳＰＦ１−１−Ｆ、停止可能階ＳＰＦ１−２−Ｇ及び停止可能階ＳＰＦ１−３−Ｈにおけるそれぞれの図形として、平行四辺形等を生成するようにしてもよい。
【００３１】
階床図形生成部１２は、昇降機１−１の停止可能階ＳＰＦ１−１−Ｆを示す図形のデータを運行計画アイコン生成部１４に出力する。
階床図形生成部１２は、昇降機１−２の停止可能階ＳＰＦ１−２−Ｇを示す図形のデータを運行計画アイコン生成部１４に出力する。
階床図形生成部１２は、昇降機１−３の停止可能階ＳＰＦ１−３−Ｈを示す図形のデータを運行計画アイコン生成部１４に出力する。
【００３２】
運行計画アイコン生成部１４は、運行計画情報記憶部１３により記憶されている運行計画情報を取得する。
運行計画アイコン生成部１４は、階床図形生成部１２から、昇降機１−１の停止可能階ＳＰＦ１−１−Ｆを示す図形のデータを取得し、昇降機１−２の停止可能階ＳＰＦ１−２−Ｇを示す図形のデータを取得する。
また、運行計画アイコン生成部１４は、階床図形生成部１２から、昇降機１−３の停止可能階ＳＰＦ１−３−Ｈを示す図形のデータを取得する。
【００３３】
運行計画アイコン生成部１４は、運行計画情報に従って、第１のシンボル及び第２のシンボルのそれぞれを、停止可能階ＳＰＦ１−１−Ｆを示す図形に付加することで、停止可能階ＳＰＦ１−１−Ｆの運行計画アイコンを生成する（図４のステップＳＴ２）。
停止可能階ＳＰＦ１−１−Ｆを示す図形に付加する第１のシンボルは、昇降機１−１が停止可能階ＳＰＦ１−１−Ｆに停止する時間帯を示すシンボルである。停止可能階ＳＰＦ１−１−Ｆを示す図形に付加する第２のシンボルは、昇降機１−１が停止可能階ＳＰＦ１−１−Ｆに停止しない時間帯を示すシンボルである。
【００３４】
運行計画アイコン生成部１４は、運行計画情報に従って、第１のシンボル及び第２のシンボルのそれぞれを、停止可能階ＳＰＦ１−２−Ｇを示す図形に付加することで、停止可能階ＳＰＦ１−２−Ｇの運行計画アイコンを生成する（図４のステップＳＴ２）。
停止可能階ＳＰＦ１−２−Ｇを示す図形に付加する第１のシンボルは、昇降機１−２が停止可能階ＳＰＦ１−２−Ｇに停止する時間帯を示すシンボルである。停止可能階ＳＰＦ１−２−Ｇを示す図形に付加する第２のシンボルは、昇降機１−２が停止可能階ＳＰＦ１−２−Ｇに停止しない時間帯を示すシンボルである。
【００３５】
運行計画アイコン生成部１４は、運行計画情報に従って、第１のシンボル及び第２のシンボルのそれぞれを、停止可能階ＳＰＦ１−３−Ｈを示す図形に付加することで、停止可能階ＳＰＦ１−３−Ｈの運行計画アイコンを生成する（図４のステップＳＴ２）。
停止可能階ＳＰＦ１−３−Ｈを示す図形に付加する第１のシンボルは、昇降機１−３が停止可能階ＳＰＦ１−３−Ｈに停止する時間帯を示すシンボルである。停止可能階ＳＰＦ１−３−Ｈを示す図形に付加する第２のシンボルは、昇降機１−３が停止可能階ＳＰＦ１−３−Ｈに停止しない時間帯を示すシンボルである。
【００３６】
運行計画アイコン生成部１４は、停止可能階ＳＰＦ１−１−Ｆ毎に生成した昇降機１−１についての運行計画アイコンを運行計画アイコン表示部１５に出力する。
運行計画アイコン生成部１４は、停止可能階ＳＰＦ１−２−Ｇ毎に生成した昇降機１−２についての運行計画アイコンを運行計画アイコン表示部１５に出力する。
運行計画アイコン生成部１４は、停止可能階ＳＰＦ１−３−Ｈ毎に生成した昇降機１−３についての運行計画アイコンを運行計画アイコン表示部１５に出力する。
以下、運行計画アイコン生成部１４による運行計画アイコンの生成処理を具体的に説明する。
【００３７】
運行計画情報が示す運行計画のスパンが、例えば、１日であって、運行計画の時間間隔が、例えば、１時間であれば、運行計画情報は、昇降機１−１〜１−３のそれぞれについて、階床毎に、当該階床に停止するか否かを示す情報（以下、「停止情報」と称する）を２４個有している。
運行計画情報が示す運行計画のスパンが、例えば、１時間であって、運行計画の時間間隔が、例えば、１分であれば、運行計画情報は、昇降機１−１〜１−３のそれぞれについて、階床毎に、停止情報を６０個有している。
運行計画アイコン生成部１４は、図６Ａ及び図６Ｂに示すように、停止可能階ＳＰＦ１−１、ＳＰＦ１−２、ＳＰＦ１−３を示す図形である矩形を、運行計画情報が有している停止情報の個数ｍ分の領域に分割する。
【００３８】
図６Ａ及び図６Ｂの例では、運行計画アイコン生成部１４が、矩形の幅Ｗをｍ分割している。運行計画アイコン生成部１４により分割されたｍ個の領域のそれぞれは、運行計画情報が有しているそれぞれの停止情報と対応している。
図６Ａは、運行計画情報が２４個の停止情報を有する場合の、停止可能階を示す図形の分割例を示す説明図である。図６Ａの例では、運行計画アイコン生成部１４が、停止可能階を示す図形である矩形を２４個の領域に分割している。
図６Ｂは、運行計画情報が６０個の停止情報を有する場合の、停止可能階を示す図形の分割例を示す説明図である。図６Ｂの例では、運行計画アイコン生成部１４が、停止可能階を示す図形である矩形を６０個の領域に分割している。
【００３９】
次に、運行計画アイコン生成部１４は、図７Ａ及び図７Ｂに示すように、ｍ個の領域のそれぞれと対応している停止情報が、昇降機１−ｎが停止する旨を示していれば、当該停止情報と対応している領域を、例えば、水色で塗りつぶす色付け処理を行う。
運行計画アイコン生成部１４は、ｍ個の領域のそれぞれと対応している停止情報が、昇降機１−ｎが停止しない旨を示していれば、当該停止情報と対応している領域を、例えば、濃い青色で塗りつぶす色付け処理を行う。
図７Ａは、運行計画情報が２４個の停止情報を有する場合の運行計画アイコンを示す説明図である。図７Ａの例では、０時から１４時の時間帯及び１９時から２３時の時間帯のそれぞれが、昇降機１−ｎが停止する時間帯であり、当該時間帯の領域は、例えば、水色で塗りつぶされる。１５時から１８時の時間帯が、昇降機１−ｎが停止しない時間帯であり、当該時間帯の領域は、例えば、濃い青色で塗りつぶされる。
図７Ｂは、運行計画情報が６０個の停止情報を有する場合の運行計画アイコンを示す説明図である。図７Ｂの例では、０分から３９分の時間帯が、昇降機１−ｎが停止する時間帯であり、当該時間帯の領域は、例えば、水色で塗りつぶされる。４０分から５９分の時間帯が、昇降機１−ｎが停止しない時間帯であり、当該時間帯の領域は、例えば、濃い青色で塗りつぶされる。
図７Ａ及び図７Ｂにおいて、矢印が示す横軸は、運行計画アイコンの時間軸である。
【００４０】
例えば、水色で塗りつぶされている領域は、昇降機１−ｎが停止する時間帯を示す第１のシンボルを表している。
例えば、濃い青色で塗りつぶされている領域は、昇降機１−ｎが停止しない時間帯を示す第２のシンボルを表している。
運行計画アイコン生成部１４は、停止可能階ＳＰＦ１−１、ＳＰＦ１−２、ＳＰＦ１−３を示す図形に含まれているｍ個の領域の色付けが完了すると、運行計画アイコンとして、色付けが完了したｍ個の領域を有する図形を示すデータを運行計画アイコン表示部１５に出力する。
【００４１】
図１に示す運行スケジュール表示装置では、運行計画アイコン生成部１４が、昇降機１−ｎが停止する時間帯に対応する領域と、昇降機１−ｎが停止しない時間帯に対応する領域とを異なる色で塗りつぶす色付け処理を行っている。
しかし、建物の管理者等が、昇降機１−ｎが停止する時間帯に対応する領域と、昇降機１−ｎが停止しない時間帯に対応する領域とを区別することができればよい。したがって、運行計画アイコン生成部１４が、例えば、昇降機１−ｎが停止しない時間帯に対応する領域のみに網掛けを施して、昇降機１−ｎが停止する時間帯に対応する領域には網掛けを施さないようにしてもよい。
【００４２】
運行計画アイコン表示部１５は、昇降機情報記憶部１１により記憶されている位置情報を取得する。
運行計画アイコン表示部１５は、取得した位置情報に基づいて、運行計画アイコン生成部１４により停止可能階ＳＰＦ１−１−Ｆ毎に生成された昇降機１−１についての運行計画アイコンを、例えば立面図のように表示するための表示データＤＫ１−１−Ｆを生成する（図４のステップＳＴ３）。
運行計画アイコン表示部１５は、取得した位置情報に基づいて、運行計画アイコン生成部１４により停止可能階ＳＰＦ１−２−Ｇ毎に生成された昇降機１−２についての運行計画アイコンを、例えば立面図のように表示するための表示データＤＫ１−２−Ｇを生成する（図４のステップＳＴ３）。
【００４３】
また、運行計画アイコン表示部１５は、取得した位置情報に基づいて、運行計画アイコン生成部１４により停止可能階ＳＰＦ１−３−Ｈ毎に生成された昇降機１−３についての運行計画アイコンを、例えば立面図のように表示するための表示データＤＫ１−３−Ｈを生成する（図４のステップＳＴ３）。
運行計画アイコン表示部１５は、生成した表示データＤＫ１−１−Ｆ、表示データＤＫ１−２−Ｇ及び表示データＤＫ１−３−Ｈのそれぞれを表示器２０に出力する。
表示器２０は、図５に示すように、表示データＤＫ１−１−Ｆ、表示データＤＫ１−２−Ｇ及び表示データＤＫ１−３−Ｈのそれぞれに従って、運行計画アイコンを画面に表示する。
【００４４】
第１の判定部１６は、運行計画情報記憶部１３により記憶されている運行計画情報を取得する。
第１の判定部１６は、取得した運行計画情報に基づいて、昇降機１−１が停止可能階ＳＰＦ１−１−Ｆに停止する時間帯に現在の時刻ｔ０が含まれているか否かを判定する（図４のステップＳＴ４）。
第１の判定部１６は、昇降機１−１が停止可能階ＳＰＦ１−１−Ｆに停止する時間帯に現在の時刻ｔ０が含まれていれば（図４のステップＳＴ４：ＹＥＳの場合）、現在の時刻ｔ０が含まれている旨を示す判定結果ＪＩＮ１−１−Ｆを運行状況アイコン表示部１７に出力する（図４のステップＳＴ５）。
第１の判定部１６は、昇降機１−１が停止可能階ＳＰＦ１−１−Ｆに停止する時間帯に現在の時刻ｔ０が含まれていなければ（図４のステップＳＴ４：ＮＯの場合）、現在の時刻ｔ０が含まれていない旨を示す判定結果ＪＯＵＴ１−１−Ｆを運行状況アイコン表示部１７に出力する（図４のステップＳＴ６）。
【００４５】
第１の判定部１６は、昇降機１−２についても、昇降機１−１と同様に、昇降機１−２が停止可能階ＳＰＦ１−２−Ｇに停止する時間帯に現在の時刻ｔ０が含まれているか否かを判定する（図４のステップＳＴ４）。
第１の判定部１６は、昇降機１−３についても、昇降機１−１と同様に、昇降機１−３が停止可能階ＳＰＦ１−３−Ｈに停止する時間帯に現在の時刻ｔ０が含まれているか否かを判定する（図４のステップＳＴ４）。
第１の判定部１６は、昇降機１−２についての判定結果ＪＩＮ１−２−Ｇ又は判定結果ＪＯＵＴ１−２−Ｇを運行状況アイコン表示部１７に出力する。
第１の判定部１６は、昇降機１−３についての判定結果ＪＩＮ１−３−Ｈ又は判定結果ＪＯＵＴ１−３−Ｈを運行状況アイコン表示部１７に出力する。
【００４６】
運行状況アイコン表示部１７は、複数の停止可能階ＳＰＦ１−１−Ｆのうち、第１の判定部１６の判定結果がＪＩＮ１−１−Ｆである停止可能階ＳＰＦ１−１−Ｆに昇降機１−１が停止する旨を示す運行状況アイコンを画面に表示させるための表示データＤＪ１−１−Ｆ−Ｓを表示器２０に出力する（図４のステップＳＴ７）。
運行状況アイコン表示部１７は、複数の停止可能階ＳＰＦ１−１−Ｆのうち、第１の判定部１６の判定結果がＪＯＵＴ１−１−Ｆである停止可能階ＳＰＦ１−１−Ｆに昇降機１−１が停止しない旨を示す運行状況アイコンを画面に表示させるための表示データＤＪ１−１−Ｆ−ＮＳを表示器２０に出力する（図４のステップＳＴ７）。
【００４７】
なお、運行状況アイコン表示部１７は、運行状況アイコンを表示器２０に表示させる際、昇降機情報記憶部１１により記憶されている位置情報に基づいて、運行状況アイコンの表示位置を決定している。運行状況アイコン表示部１７は、決定した表示位置に運行状況アイコンを表示させるための表示データＤＪ１−１−Ｆ−Ｓ又は表示データＤＪ１−１−Ｆ−ＮＳを表示器２０に出力している。
停止可能階ＳＰＦ１−１−Ｆに、昇降機１−１が停止する旨を示す運行状況アイコンについての表示位置、又は、昇降機１−１が停止しない旨を示す運行状況アイコンについての表示位置は、停止可能階ＳＰＦ１−１−Ｆに示す図形と重なる位置である。
また、運行状況アイコンについての表示位置は、運行計画アイコンの時間軸における現在の時刻の表示位置と一致している。ここでの一致は、概ね一致であることを含み、完全な一致のみを意味するものではない。
【００４８】
図１に示す運行スケジュール表示装置では、昇降機１−１が停止する旨を示す運行状況アイコンが、 形状が“□”のアイコンであり、昇降機１−１が停止しない旨を示す運行状況アイコンが、形状が“｜”のアイコンである。
しかし、これは一例に過ぎず、例えば、昇降機１−１が停止する旨を示す運行状況アイコンが、 形状が“〇”のアイコンであり、昇降機１−１が停止しない旨を示す運行状況アイコンが、形状が“：”のアイコンであってもよい。
【００４９】
また、運行状況アイコン表示部１７は、複数の停止可能階ＳＰＦ１−２−Ｇのうち、判定結果がＪＩＮ１−２−Ｇである停止可能階ＳＰＦ１−２−Ｇに昇降機１−２が停止する旨を示す運行状況アイコンを画面に表示させるための表示データＤＪ１−２−Ｇ−Ｓを表示器２０に出力する（図４のステップＳＴ７）。
運行状況アイコン表示部１７は、複数の停止可能階ＳＰＦ１−２−Ｇのうち、判定結果がＪＯＵＴ１−２−Ｇである停止可能階ＳＰＦ１−２−Ｇに昇降機１−２が停止しない旨を示す運行状況アイコンを画面に表示させるための表示データＤＪ１−２−Ｇ−ＮＳを表示器２０に出力する（図４のステップＳＴ７）。
運行状況アイコン表示部１７は、停止可能階ＳＰＦ１−２−Ｇに、昇降機１−２が停止する旨を示す運行状況アイコン又は昇降機１−２が停止しない旨を示す運行状況アイコンについての表示位置も、位置情報に基づいて決定する。
【００５０】
また、運行状況アイコン表示部１７は、複数の停止可能階ＳＰＦ１−３−Ｈのうち、判定結果がＪＩＮ１−３−Ｈである停止可能階ＳＰＦ１−３−Ｈに昇降機１−３が停止する旨を示す運行状況アイコンを画面に表示させるための表示データＤＪ１−３−Ｈ―Ｓを表示器２０に出力する（図４のステップＳＴ７）。
運行状況アイコン表示部１７は、複数の停止可能階ＳＰＦ１−３−Ｈのうち、判定結果がＪＯＵＴ１−３−Ｈである停止可能階ＳＰＦ１−３−Ｈに昇降機１−３が停止しない旨を示す運行状況アイコンを画面に表示させるための表示データＤＪ１−３−Ｈ−ＮＳを表示器２０に出力する（図４のステップＳＴ７）。
運行状況アイコン表示部１７は、停止可能階ＳＰＦ１−３−Ｈに、昇降機１−３が停止する旨を示す運行状況アイコン又は昇降機１−３が停止しない旨を示す運行状況アイコンについての表示位置も、位置情報に基づいて決定する。
【００５１】
表示器２０は、図５に示すように、表示データＤＪ１−１−Ｆ−Ｓ、表示データＤＪ１−１−Ｆ−ＮＳ、表示データＤＪ１−２−Ｇ−Ｓ、表示データＤＪ１−２−Ｇ−ＮＳ、表示データＤＪ１−３−Ｈ−Ｓ及び表示データＤＪ１−３−Ｈ−ＮＳのそれぞれに従って、運行状況アイコンを画面に表示する。
図５の例では、表示器２０が、停止可能階ＳＰＦ１−１−１〜ＳＰＦ１−１−５及び停止可能階ＳＰＦ１−１−１３〜ＳＰＦ１−１−１５のそれぞれに昇降機１−１が停止する旨を示す運行状況アイコンを表示している。
また、表示器２０が、停止可能階ＳＰＦ１−１−１１及び停止可能階ＳＰＦ１−１−１２のそれぞれに昇降機１−１が停止しない旨を示す運行状況アイコンを表示している。
図５の例では、表示器２０が、停止可能階ＳＰＦ１−２−Ｇの全てに昇降機１−２が停止する旨を示す運行状況アイコンを表示している。
図５の例では、表示器２０が、停止可能階ＳＰＦ１−３−Ｈの全てに昇降機１−３が停止する旨を示す運行状況アイコンを表示している。
図５に示す運行計画アイコンのスパンが、例えば、１日であって、現在時刻が６時３０分であれば、運行状況アイコンの表示位置は、運行計画アイコンの時間軸における６時の時間帯の表示位置と一致している。
【００５２】
第２の判定部１８は、運行計画情報記憶部１３により記憶されている運行計画情報を取得する。
第２の判定部１８は、取得した運行計画情報に基づいて、昇降機１−１が休止する時間帯があるか否かを判定する（図４のステップＳＴ８）。
第２の判定部１８は、取得した運行計画情報に基づいて、昇降機１−２が休止する時間帯があるか否かを判定する（図４のステップＳＴ８）。
第２の判定部１８は、取得した運行計画情報に基づいて、昇降機１−３が休止する時間帯があるか否かを判定する（図４のステップＳＴ８）。
図１に示す運行スケジュール表示装置では、説明の便宜上、昇降機１−１〜１−３のうち、昇降機１−２のみが休止する時間帯があるものとする。
第２の判定部１８は、昇降機１−１〜１−３のそれぞれについて、休止する時間帯があるか否かを示す判定結果を運行休止シンボル表示部１９に出力する。
【００５３】
運行休止シンボル表示部１９は、第２の判定部１８から、昇降機１−２が休止する時間帯がある旨を示す判定結果を受けると、図５に示すように、昇降機１−２が休止する時間帯を示す運行休止シンボルを画面に表示させるための表示データＤＳ１−２を表示器２０に出力する（図４のステップＳＴ９）。
なお、運行休止シンボル表示部１９は、表示データＤＳ１−２を表示器２０に出力する際、昇降機情報記憶部１１により記憶されている位置情報に基づいて、運行休止シンボルの表示位置を決定している。運行休止シンボル表示部１９は、決定した表示位置に運行休止シンボルを表示させるための表示データＤＳ１−２を表示器２０に出力している。
昇降機１−２が休止する時間帯を示す運行休止シンボルについての表示位置は、全ての停止可能階ＳＰＦ１−２−Ｇに示す図形と重なる位置である。
【００５４】
運行休止シンボルは、例えば、茶色で塗りつぶされたシンボルであり、運行休止シンボルは、運行計画アイコンの時間帯のうち、昇降機１−２が休止する時間帯の領域を示している。
なお、運行計画アイコンの時間帯のうち、昇降機１−２が休止する時間帯を示す方法としては、運行休止シンボルを用いる方法に限るものではなく、例えば、内部を塗りつぶされたアイコンを用いて、運行休止の時間帯を示す方法であってもよい。運行休止の時間帯を示すアイコンの形状としては、例えば、 “■”が考えられる。
表示器２０は、運行休止シンボル表示部１９から出力された表示データＤＳ１−２に従って、運行休止シンボルを画面に表示する。
運行計画アイコンのスパンが、例えば、１日であり、昇降機１−２が休止する時間帯が１２時から１８時であれば、図５に示すように、運行計画アイコンの時間軸における１２時から１８時の時間帯に、昇降機１−２が休止する時間帯が表示される。
【００５５】
以上の実施の形態１では、建物内の昇降機１がそれぞれの階床に停止する時間帯と、昇降機１がそれぞれの階床に停止しない時間帯とを示す運行計画情報に従って、昇降機１が階床に停止する時間帯を示すシンボル及び昇降機１が階床に停止しない時間帯を示すシンボルのそれぞれを、階床図形生成部１２により生成されたそれぞれの階床を示す図形に付加することで、昇降機１が階床に停止する時間帯と昇降機１が階床に停止しない時間帯とを示す運行計画アイコンを建物の階床毎に生成する運行計画アイコン生成部１４を設け、運行計画アイコン表示部１５が、運行計画アイコン生成部１４により階床毎に生成されたそれぞれの運行計画アイコンを画面に表示させるように、運行スケジュール表示装置を構成した。したがって、運行スケジュール表示装置は、建物の管理者等が、昇降機の運行スケジュールを確認することができる。
【００５６】
また、実施の形態１では、運行計画情報に基づいて、昇降機１がそれぞれの階床に停止する時間帯に現在の時刻が含まれているか否かを判定する第１の判定部１６を設け、運行状況アイコン表示部１７が、建物における複数の階床のうち、第１の判定部１６により、昇降機１が停止する時間帯に現在の時刻が含まれていると判定された階床に昇降機１が停止する旨を示す運行状況アイコンを画面に表示させ、建物における複数の階床のうち、第１の判定部１６により、昇降機１が停止しない時間帯に現在の時刻が含まれていると判定された階床に昇降機１が停止しない旨を示す運行状況アイコンを画面に表示させるように、運行スケジュール表示装置を構成した。したがって、運行スケジュール表示装置は、建物の管理者等が、現在、昇降機１が停止することが可能な階床と、昇降機１が停止しない階床とを区別することができる。
【００５７】
また、実施の形態１では、運行計画情報に基づいて、昇降機１が休止する時間帯があるか否かを判定する第２の判定部１８を設け、運行休止シンボル表示部１９が、第２の判定部１８により昇降機１が休止する時間帯があると判定されていれば、昇降機１が休止する時間帯を示す運行休止シンボルを画面に表示させるように、運行スケジュール表示装置を構成した。したがって、運行スケジュール表示装置は、建物の管理者等が、休止する時間帯がある昇降機１を確認することができる。
【００５８】
図１に示す運行スケジュール表示装置では、運行計画アイコン生成部１４が、停止可能階ＳＰＦ１−１−Ｆ、ＳＰＦ１−２−Ｇ、ＳＰＦ１−３−Ｈを示す図形である矩形をｍ個の領域に分割している。
運行計画アイコン生成部１４は、矩形をｍ個の領域に分割する際、ｍ個の領域を等分割するようにしてもよいが、図８に示すように、特定の時間帯の領域の幅が、他の時間帯の領域の幅よりも広くなるように、矩形をｍ個の領域に分割するようにしてもよい。
図８は、停止可能階を示す図形を不等分割する例を示す説明図である。
図８の例では、特定の時間帯の領域が、現在の時刻を含む時間帯の領域であり、現在の時刻を含む時間帯の領域の幅が、他の時間帯の領域の幅よりも広くなっている。
図８では、特定の時間帯の領域が、現在の時刻を含む時間帯の領域である例を示している。しかし、これは一例に過ぎず、特定の時間帯の領域が、建物の管理者等によって指定された時間帯の領域であってもよい。
【００５９】
図１に示す運行スケジュール表示装置では、運行計画アイコン生成部１４が、停止可能階ＳＰＦ１−１−Ｆ、ＳＰＦ１−２−Ｇ、ＳＰＦ１−３−Ｈを示す図形である矩形を、運行計画情報が有している停止情報の個数ｍ分の領域に分割している。しかし、これは一例に過ぎず、運行計画アイコン生成部１４が、停止可能階ＳＰＦ１−１−Ｆ、ＳＰＦ１−２−Ｇ、ＳＰＦ１−３−Ｈを示す図形である矩形を、運行計画情報が有している停止情報の個数ｍよりも少ない領域に分割するようにしてもよい。
例えば、運行計画情報が示す運行計画のスパンが、１時間であって、運行計画の時間間隔が、１分であり、運行計画情報が、６０個の停止情報を有しているものとする。このとき、運行計画アイコン生成部１４は、例えば、矩形を６０個よりも少ない６個の領域に分割するようにしてもよい。
運行計画アイコン生成部１４は、矩形を６個の領域に分割する場合、分割後のそれぞれの領域が、１０個の停止情報と対応するため、１０個の停止情報に基づいて、それぞれの領域の色付け処理を行う。
【００６０】
例えば、１０個の停止情報の全てが、昇降機１−ｎが停止しない旨を示していれば、運行計画アイコン生成部１４は、昇降機１−ｎが停止しない旨を示す停止情報に基づいて、１０個の停止情報と対応している領域の色付け処理を行う。
また、１０個の停止情報の全てが、昇降機１−ｎが停止する旨を示していれば、運行計画アイコン生成部１４は、昇降機１−ｎが停止する旨を示す停止情報に基づいて、１０個の停止情報と対応している領域の色付け処理を行う。
しかし、１０個の停止情報の中に、昇降機１−ｎが停止しない旨を示す停止情報と、昇降機１−ｎが停止する旨を示す停止情報とが含まれている場合がある。この場合、運行計画アイコン生成部１４は、昇降機１−ｎが停止しない旨を示す停止情報の個数が、昇降機１−ｎが停止する旨を示す停止情報の個数以上であれば、昇降機１−ｎが停止しない旨を示す停止情報に基づいて、１０個の停止情報と対応している領域の色付け処理を行う。一方、昇降機１−ｎが停止しない旨を示す停止情報の個数が、昇降機１−ｎが停止する旨を示す停止情報の個数未満であれば、運行計画アイコン生成部１４は、昇降機１−ｎが停止する旨を示す停止情報に基づいて、１０個の停止情報と対応している領域の色付け処理を行うようにしてもよい。
また、１０個の停止情報の中に、昇降機１−ｎが停止しない旨を示す停止情報が１つでも含まれていれば、運行計画アイコン生成部１４は、昇降機１−ｎが停止しない旨を示す停止情報に基づいて、１０個の停止情報と対応している領域の色付け処理を行うようにしてもよい。
【００６１】
図１に示す運行スケジュール表示装置では、運行休止シンボル表示部１９が、昇降機１−２が休止する時間帯がある旨を示す運行休止シンボルを画面に表示させている。
運行休止シンボル表示部１９は、図５に示すように、運行休止シンボルを運行計画アイコンに重ねて表示させるものに限るものではない。例えば、図９に示すように、運行休止シンボル表示部１９が、運行休止シンボルの専用表示領域に、運行休止シンボルを表示させるようにしてもよい。
図９は、運行休止シンボルの専用表示領域に表示されている運行休止シンボルを示す説明図である。
【００６２】
図１に示す運行スケジュール表示装置では、第１の判定部１６が判定処理を実施して、運行状況アイコン表示部１７が運行状況アイコンの表示データを表示器２０に出力してから、第２の判定部１８が、昇降機１−ｎが、休止する時間帯があるか否かを判定する判定処理を実施するようにしている。
しかし、これは一例に過ぎず、図１５に示すように、第２の判定部１８が判定処理を実施して、運行休止シンボル表示部１９が運行休止シンボルの表示データを表示器２０に出力してから、第１の判定部１６が判定処理を実施するようにしてもよい。
図１５は、運行スケジュール表示装置の処理手順である他の運行スケジュール表示方法を示すフローチャートである。
図１５に示すフローチャートでは、運行スケジュール表示装置が、ステップＳＴ８，ＳＴ９を先に実行してから、ステップＳＴ４〜ＳＴ７を実行している。
なお、ステップＳＴ８，ＳＴ９が先に実行される場合、第１の判定部１６は、第２の判定部１８の判定結果に基づいて、判定処理を実施するようにしてもよい。
例えば、第２の判定部１８が、昇降機１−ｎが休止する時間帯があると判定しており、現在の時刻が休止する時間帯に含まれている場合を想定する。この場合、第１の判定部１６は、昇降機１−ｎが停止する時間帯に現在の時刻が含まれていても、昇降機１−ｎが停止する時間帯に現在の時刻が含まれていない旨を示す判定結果を運行状況アイコン表示部１７に出力するようにする。
【００６３】
実施の形態２．
図１に示す運行スケジュール表示装置では、運行計画アイコン表示部１５が、運行計画アイコンを画面に表示させ、運行状況アイコン表示部１７が、運行状況アイコンを画面に表示させている。
実施の形態２では、運行状況アイコン表示部１７が、運行状況アイコンの表示位置が、運行計画アイコンの時間軸における現在の時刻の表示位置と一致するように、時刻の経過に伴って、運行状況アイコンの表示位置を移動させる運行スケジュール表示装置について説明する。ここでの一致は、概ね一致であることを含み、完全な一致のみを意味するものではない。
実施の形態２の運行スケジュール表示装置を示す構成図は、実施の形態１の運行スケジュール表示装置と同様に、図１である。
【００６４】
運行計画アイコン表示部１５は、実施の形態１と同様に、運行計画アイコンを画面に表示させるための表示データＤＫ１−１−Ｆ、表示データＤＫ１−２−Ｇ及び表示データＤＫ１−３−Ｈのそれぞれを表示器２０に出力する。
表示器２０は、実施の形態１と同様に、表示データＤＫ１−１−Ｆ、表示データＤＫ１−２−Ｇ及び表示データＤＫ１−３−Ｈのそれぞれに従って、運行計画アイコンを画面に表示する。
運行状況アイコン表示部１７は、実施の形態１と同様に、運行状況アイコンを画面に表示させるための表示データＤＪ１−１−Ｆ−Ｓ、表示データＤＪ１−１−Ｆ−ＮＳ、表示データＤＪ１−２−Ｇ−Ｓ、表示データＤＪ１−２−Ｇ−ＮＳ、表示データＤＪ１−３−Ｈ−Ｓ及び表示データＤＪ１−３−Ｈ−ＮＳのそれぞれを表示器２０に出力する。
表示器２０は、実施の形態１と同様に、表示データＤＪ１−１−Ｆ−Ｓ、表示データＤＪ１−１−Ｆ−ＮＳ、表示データＤＪ１−２−Ｇ−Ｓ、表示データＤＪ１−２−Ｇ−ＮＳ、表示データＤＪ１−３−Ｈ−Ｓ及び表示データＤＪ１−３−Ｈ−ＮＳのそれぞれに従って、運行状況アイコンを画面に表示する。
【００６５】
運行状況アイコン表示部１７は、図１０に示すように、時刻の経過に伴って、運行状況アイコンの表示位置をリアルタイムに移動させる。
具体的には、運行状況アイコン表示部１７は、運行状況アイコンの表示位置が、運行計画アイコンの時間軸における現在の時刻の表示位置と一致するように、時刻の経過に伴って、運行状況アイコンの表示位置を移動させる。
図１０は、運行状況アイコン表示部１７によって、運行状況アイコンの表示位置が移動されている例を示す説明図である。
図１０では、運行状況アイコン表示部１７が、時刻の経過に伴って、運行状況アイコンの表示位置を右方向に移動させている。
【００６６】
以上の実施の形態２では、運行状況アイコン表示部１７が、運行状況アイコンの表示位置が、運行計画アイコンの時間軸における現在の時刻の表示位置と一致するように、時刻の経過に伴って、運行状況アイコンの表示位置を移動させるように、運行スケジュール表示装置を構成した。したがって、運行スケジュール表示装置は、運行状況アイコン表示部１７によって、運行状況アイコンが表示させてから、時間が経過しても、建物の管理者等が、運行計画アイコンの時間軸における現在の時刻と対応している運行状況アイコンを確認することができる。
【００６７】
実施の形態３．
図１に示す運行スケジュール表示装置では、運行計画アイコン表示部１５が、運行計画アイコンを画面に表示させ、運行状況アイコン表示部１７が、運行状況アイコンを画面に表示させている。
実施の形態３では、運行計画アイコン表示部１５が、運行計画アイコンの時間軸における現在の時刻の表示位置が、運行状況アイコンの表示位置と一致するように、時刻の経過に伴って、運行計画アイコンの時間軸を移動させる運行スケジュール表示装置について説明する。ここでの一致は、概ね一致であることを含み、完全な一致のみを意味するものではない。
実施の形態３の運行スケジュール表示装置を示す構成図は、実施の形態１の運行スケジュール表示装置と同様に、図１である。
【００６８】
運行計画アイコン表示部１５は、実施の形態１と同様に、運行計画アイコンを画面に表示させるための表示データＤＫ１−１−Ｆ、表示データＤＫ１−２−Ｇ及び表示データＤＫ１−３−Ｈのそれぞれを表示器２０に出力する。
表示器２０は、実施の形態１と同様に、表示データＤＫ１−１−Ｆ、表示データＤＫ１−２−Ｇ及び表示データＤＫ１−３−Ｈのそれぞれに従って、運行計画アイコンを画面に表示する。
運行状況アイコン表示部１７は、実施の形態１と同様に、運行状況アイコンを画面に表示させるための表示データＤＪ１−１−Ｆ−Ｓ、表示データＤＪ１−１−Ｆ−ＮＳ、表示データＤＪ１−２−Ｇ−Ｓ、表示データＤＪ１−２−Ｇ−ＮＳ、表示データＤＪ１−３−Ｈ−Ｓ及び表示データＤＪ１−３−Ｈ−ＮＳのそれぞれを表示器２０に出力する。
表示器２０は、実施の形態１と同様に、表示データＤＪ１−１−Ｆ−Ｓ、表示データＤＪ１−１−Ｆ−ＮＳ、表示データＤＪ１−２−Ｇ−Ｓ、表示データＤＪ１−２−Ｇ−ＮＳ、表示データＤＪ１−３−Ｈ−Ｓ及び表示データＤＪ１−３−Ｈ−ＮＳのそれぞれに従って、運行状況アイコンを画面に表示する。
【００６９】
運行計画アイコン表示部１５は、図１１に示すように、時刻の経過に伴って、運行計画アイコンの時間軸をリアルタイムに移動させる。
具体的には、運行計画アイコン表示部１５は、運行計画アイコンの時間軸における現在の時刻の表示位置が、運行状況アイコンの表示位置と一致するように、時刻の経過に伴って、運行計画アイコンの時間軸を移動させる。
図１１は、運行計画アイコン表示部１５によって、運行計画アイコンの時間軸が移動されている例を示す説明図である。
図１１では、運行計画アイコン表示部１５が、時刻の経過に伴って、運行計画アイコンの時間軸を左方向に移動させている。
【００７０】
以上の実施の形態３では、運行計画アイコン表示部１５が、運行計画アイコンの時間軸における現在の時刻の表示位置が、運行状況アイコンの表示位置と一致するように、時刻の経過に伴って、運行計画アイコンの時間軸を移動させるように、運行スケジュール表示装置を構成した。したがって、運行スケジュール表示装置は、運行状況アイコン表示部１７によって、運行状況アイコンが表示させてから、時間が経過しても、建物の管理者等が、運行状況アイコンに対応する現在時刻の運行計画アイコンを確認することができる。
【００７１】
実施の形態４．
実施の形態４では、運行計画情報に基づいて、建物内のそれぞれの階床に、現在停止することが可能な昇降機１の台数を特定し、特定した台数を画面に表示させる台数表示部２１を備える運行スケジュール表示装置について説明する。
【００７２】
図１２は、実施の形態４に係る運行スケジュール表示装置を示す構成図である。
図１３は、実施の形態４に係る運行スケジュール表示装置のハードウェアを示すハードウェア構成図である。
図１２及び図１３において、図１及び図２と同一符号は同一又は相当部分を示すので説明を省略する。
【００７３】
台数表示部２１は、例えば、図１３に示す台数表示回路５１によって実現される。
台数表示部２１は、運行計画情報記憶部１３により記憶されている運行計画情報を取得する。
台数表示部２１は、取得した運行計画情報に基づいて、それぞれの階床に、現在停止することが可能な昇降機１の台数を特定し、特定した台数を画面に表示させるための表示データＤＤを表示器２０に出力する。
【００７４】
図１２では、運行スケジュール表示装置の構成要素である昇降機情報記憶部１１、階床図形生成部１２、運行計画情報記憶部１３、運行計画アイコン生成部１４、運行計画アイコン表示部１５、第１の判定部１６、運行状況アイコン表示部１７、第２の判定部１８、運行休止シンボル表示部１９、表示器２０及び台数表示部２１のそれぞれが、図１３に示すような専用のハードウェアによって実現されるものを想定している。即ち、運行スケジュール表示装置が、昇降機情報記憶回路３１、階床図形生成回路３２、運行計画情報記憶回路３３、計画アイコン生成回路３４、計画アイコン表示回路３５、第１の判定回路３６、状況アイコン表示回路３７、第２の判定回路３８、休止アイコン表示回路３９、液晶ディスプレイ４０及び台数表示回路５１によって実現されるものを想定している。
【００７５】
ここで、階床図形生成回路３２、計画アイコン生成回路３４、計画アイコン表示回路３５、第１の判定回路３６、状況アイコン表示回路３７、第２の判定回路３８、休止アイコン表示回路３９及び台数表示回路５１のそれぞれは、例えば、単一回路、複合回路、プログラム化したプロセッサ、並列プログラム化したプロセッサ、ＡＳＩＣ、ＦＰＧＡ、又は、これらを組み合わせたものが該当する。
【００７６】
運行スケジュール表示装置の構成要素は、専用のハードウェアによって実現されるものに限るものではない。例えば、表示器２０を除く、運行スケジュール表示装置が、ソフトウェア、ファームウェア、又は、ソフトウェアとファームウェアとの組み合わせによって実現されるものであってもよい。
表示器２０を除く、運行スケジュール表示装置が、ソフトウェア又はファームウェア等によって実現される場合、昇降機情報記憶部１１及び運行計画情報記憶部１３が、図３に示すコンピュータのメモリ４１上に構成される。階床図形生成部１２、運行計画アイコン生成部１４、運行計画アイコン表示部１５、第１の判定部１６、運行状況アイコン表示部１７、第２の判定部１８、運行休止シンボル表示部１９及び台数表示部２１の処理手順をコンピュータに実行させるためのプログラムがメモリ４１に格納される。そして、図３に示すコンピュータのプロセッサ４２がメモリ４１に格納されているプログラムを実行する。
【００７７】
次に、図１２に示す運行スケジュール表示装置の動作について説明する。台数表示部２１以外の構成要素は、図１に示す運行スケジュール表示装置と同様であるため、ここでは、主に台数表示部２１の動作について説明する。
台数表示部２１は、運行計画情報記憶部１３により記憶されている運行計画情報を取得する。
運行計画情報は、昇降機１−１が、停止可能階ＳＰＦ１−１−Ｆに停止する時間帯と、停止可能階ＳＰＦ１−１−Ｆに停止しない時間帯とを示している。
運行計画情報は、昇降機１−２が、停止可能階ＳＰＦ１−２−Ｇに停止する時間帯と、停止可能階ＳＰＦ１−２−Ｇに停止しない時間帯とを示している。
また、運行計画情報は、昇降機１−３が、停止可能階ＳＰＦ１−３−Ｈに停止する時間帯と、停止可能階ＳＰＦ１−３−Ｈに停止しない時間帯とを示している。
【００７８】
台数表示部２１は、取得した運行計画情報に基づいて、建物内の複数の階床のうち、現在、昇降機１−１が停止することが可能な停止可能階ＳＰＦ１−１−Ｆを特定する。
台数表示部２１は、取得した運行計画情報に基づいて、建物内の複数の階床のうち、現在、昇降機１−２が停止することが可能な停止可能階ＳＰＦ１−２−Ｇを特定する。
また、台数表示部２１は、取得した運行計画情報に基づいて、建物内の複数の階床のうち、現在、昇降機１−３が停止することが可能な停止可能階ＳＰＦ１−３−Ｈを特定する。
【００７９】
台数表示部２１は、昇降機１−１〜１−３のそれぞれについての停止可能階の特定結果に基づいて、建物内の１階から１５階のそれぞれに、昇降機１が現在停止することが可能な台数を特定する。
台数表示部２１は、１階から１５階のそれぞれに昇降機１が現在停止することが可能な台数を画面に表示させるための表示データＤＤを表示器２０に出力する。
表示器２０は、図１４に示すように、台数表示部２１から出力された表示データＤＤに従って、１階から１５階のそれぞれに、昇降機１が現在停止することが可能な台数を画面に表示する。
図１４は、図１２に示す運行スケジュール表示装置の表示例を示す説明図である。
図１４では、１階から５階のそれぞれに停止することが可能な昇降機１の台数が３台であることを示し、８階、１１階及び１２階に停止することが可能な昇降機１の台数が１台であることを示している。
また、図１４では、１３階から１５階のそれぞれに停止することが可能な昇降機１の台数が２台であることを示している。
【００８０】
以上の実施の形態４では、運行計画情報に基づいて、それぞれの階床に、現在停止することが可能な昇降機１の台数を特定し、特定した台数を画面に表示させる台数表示部２１を備えるように、運行スケジュール表示装置を構成した。したがって、運行スケジュール表示装置は、建物の管理者等が、それぞれの階床に、現在停止することが可能な昇降機１の台数を確認することができる。
【００８１】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００８２】
この発明は、昇降機が階床に停止する時間帯と昇降機が階床に停止しない時間帯とを示す運行計画アイコンを画面に表示させる運行スケジュール表示装置及び運行スケジュール表示方法に適している。
【符号の説明】
【００８３】
１，１−１〜１−Ｎ  昇降機、１１  昇降機情報記憶部、１２  階床図形生成部、１３  運行計画情報記憶部、１４  運行計画アイコン生成部、１５  運行計画アイコン表示部、１６  第１の判定部、１７  運行状況アイコン表示部、１８  第２の判定部、１９  運行休止シンボル表示部、２０  表示器、２１  台数表示部、３１  昇降機情報記憶回路、３２  階床図形生成回路、３３  運行計画情報記憶回路、３４  計画アイコン生成回路、３５  計画アイコン表示回路、３６  第１の判定回路、３７  状況アイコン表示回路、３８  第２の判定回路、３９  休止アイコン表示回路、４０  液晶ディスプレイ、４１  メモリ、４２  プロセッサ、５１  台数表示回路。
【図１】
0006929489.tif 000002
【図２】
0006929489.tif 000003
【図３】
0006929489.tif 000004
【図４】
0006929489.tif 000005
【図５】
0006929489.tif 000006
【図６】
0006929489.tif 000007
【図７】
0006929489.tif 000008
【図８】
0006929489.tif 000009
【図９】
0006929489.tif 000010
【図１０】
0006929489.tif 000011
【図１１】
0006929489.tif 000012
【図１２】
0006929489.tif 000013
【図１３】
0006929489.tif 000014
【図１４】
0006929489.tif 000015
【図１５】
0006929489.tif 000016